(57)【要約】【課題】オーガ式除雪機の走行安定性を高めるとともに、除雪作業の効率を高めること。【解決手段】除雪時に上から前下方へ向かって回転する左右の正転オーガ４１Ｌ，４１Ｒと、該左右の正転オーガに対し逆方向へ回転する左右の逆転オーガ４２Ｌ，４２Ｒとが、同軸上に配置されてオーガハウジング２１内の幅方向に１列に並んでいるオーガ式除雪機１０である。該左の正転オーガの回転方向Ｒａの先端５１ａ，５２ａと、該右の逆転オーガの回転方向Ｒｂの先端５７ａ，５８ａとは、回転時に、最下端の位置に略同時に位置する位相に設定されている。該右の正転オーガの回転方向Ｒａの先端５３ａ，５４ａと、該左の逆転オーガの回転方向Ｒｂの先端５５ａ，５６ａとは、回転時に、最下端の位置に略同時に位置する位相に設定されている。【選択図】図３
2015031069.tif 000002
【特許請求の範囲】
【請求項１】
除雪時に上から前下方へ向かって回転する左右の正転オーガと、該左右の正転オーガに対し逆方向へ回転する左右の逆転オーガとが、同軸上に配置されてオーガハウジング内の幅方向に１列に並んでいるオーガ式除雪機において、
前記全てのオーガの回転速度は一致しており、
前記左右の正転オーガと前記左右の逆転オーガとのいずれか一方が、前記オーガハウジングの幅方向の内側に位置するとともに、いずれか他方が外側に位置し、
前記左の正転オーガの回転方向の先端と、前記右の逆転オーガの回転方向の先端とは、回転時に、最下端の位置に略同時に位置する位相に設定され、
前記右の正転オーガの回転方向の先端と、前記左の逆転オーガの回転方向の先端とは、回転時に、最下端の位置に略同時に位置する位相に設定されていることを特徴とするオーガ式除雪機。
【請求項２】
前記オーガハウジングの後部に且つ幅方向中央にブロアハウジングが設けられ、
該ブロアハウジング内にブロアが設けられ、
前記左の正転オーガの回転方向の先端に対して、前記右の正転オーガの回転方向の先端の位相は、９０°ずれていることを特徴とする請求項１記載のオーガ式除雪機。
【発明の詳細な説明】
【技術分野】
【０００１】
本発明はオーガ式除雪機のオーガの改良技術に関する。
【背景技術】
【０００２】
除雪機のなかには、前進走行しつつ前部のオーガによって雪を掻き集め、掻き集めた雪をブロアによってシュータを介して遠くへ飛ばす型式の、いわゆるオーガ式除雪機がある。このオーガ式除雪機の技術は特許文献１から知られている。該特許文献１で知られているオーガ式除雪機は、除雪時に上から前の下方へ向かって回転する正転オーガと、該正転オーガに対し逆方向へ回転する逆転オーガとが、同軸上に配置されてオーガハウジング内の幅方向に並んでいる。
【０００３】
左右の正転オーガの回転速度が、左右の逆転オーガの回転速度よりも大きい。このため、除雪時に、左右の正転オーガの回転方向の先端と、左右の逆転オーガの回転方向の先端とは、積雪面に対してランダムに当たる。この結果、各オーガには個別の反力がランダムに発生するので、オーガ式除雪機の走行安定性を高めるには、改良の余地がある。しかも、除雪作業の効率を高める上で、除雪時に左右の正転オーガに発生する反力を、左右の逆転オーガに発生する反力によって、相殺できることが好ましい。
【先行技術文献】
【特許文献】
【０００４】
【特許文献１】特開２００４−３６０３７９号公報
【発明の概要】
【発明が解決しようとする課題】
【０００５】
本発明は、オーガ式除雪機の走行安定性を高めるとともに、除雪作業の効率を高めることができる技術を、提供することを課題とする。
【課題を解決するための手段】
【０００６】
請求項１に係る発明によれば、除雪時に上から前下方へ向かって回転する左右の正転オーガと、該左右の正転オーガに対し逆方向へ回転する左右の逆転オーガとが、同軸上に配置されてオーガハウジング内の幅方向に１列に並んでいるオーガ式除雪機において、前記全てのオーガの回転速度は一致しており、前記左右の正転オーガと前記左右の逆転オーガとのいずれか一方が、前記オーガハウジングの幅方向の内側に位置するとともに、いずれか他方が外側に位置し、前記左の正転オーガの回転方向の先端と、前記右の逆転オーガの回転方向の先端とは、回転時に、最下端の位置に略同時に位置する位相に設定され、前記右の正転オーガの回転方向の先端と、前記左の逆転オーガの回転方向の先端とは、回転時に、最下端の位置に略同時に位置する位相に設定されていることを特徴とするオーガ式除雪機が提供される。
【０００７】
請求項２に係る発明によれば、前記オーガハウジングの後部に且つ幅方向中央にブロアハウジングが設けられ、該ブロアハウジング内にブロアが設けられ、前記左の正転オーガの回転方向の先端に対して、前記右の正転オーガの回転方向の先端の位相は、９０°ずれている（略９０°を含む）。
【発明の効果】
【０００８】
請求項１に係る発明では、全てのオーガの回転速度は一致している。左右の正転オーガと左右の逆転オーガとのいずれか一方が、オーガハウジングの幅方向の内側に位置するとともに、いずれか他方が外側に位置している。左の正転オーガの回転方向の先端と、右の逆転オーガの回転方向の先端とは、回転時に、最下端の位置に略同時に位置する位相に設定されている。このため、左の正転オーガの回転方向の先端と、右の逆転オーガの回転方向の先端とは、積雪面に対して基本的に同時に当たる。従って、除雪時に左の正転オーガに発生する反力を、右の逆転オーガに発生する反力によって相殺することができる。
【０００９】
また、右の正転オーガの回転方向の先端と、左の逆転オーガの回転方向の先端とは、回転時に、最下端の位置に略同時に位置する位相に設定されている。このため、右の正転オーガの回転方向の先端と、左の逆転オーガの回転方向の先端とは、積雪面に対して基本的に同時に当たる。従って、除雪時に右の正転オーガに発生する反力を、左の逆転オーガに発生する反力によって相殺することができる。
【００１０】
このように、左の正転オーガの先端に対して右の逆転オーガの先端の位相を合わせるとともに、右の正転オーガの先端に対して左の逆転オーガの先端の位相を合わせている。このため、除雪時に各オーガに発生する個別の反力によって、オーガハウジングや機体が上下左右に頻繁に傾く、いわゆる暴れ現象を抑制することができる。しかも、左右の正転オーガの浮き上がり現象を、左右の逆転オーガによって抑制することできる。この結果、オーガ式除雪機の走行安定性を高めるとともに、除雪作業の効率を高めることができる。
【００１１】
請求項２に係る発明では、オーガハウジングの後部に且つ幅方向中央にブロアハウジングが設けられ、該ブロアハウジング内にブロアが設けられている。左の正転オーガの回転方向の先端に対して、右の正転オーガの回転方向の先端の位相が、９０°（略９０°を含む）ずれている。当然、左の逆転オーガの回転方向の先端に対して、右の逆転オーガの回転方向の先端の位相が、略９０°（略９０°を含む）ずれる。
【００１２】
このため、左の正転オーガからオーガハウジングの幅方向中央へ送られた雪と、右の正転オーガからオーガハウジングの幅方向中央へ送られた雪とが、ブロアハウジングの入口に同時に集中しないように抑制することができる。従って、左右の正転オーガから送られた雪を、ブロアハウジングの入口へ効率よく押し込んで、効率よく除雪することができる。しかも、逆転オーガによって破砕された雪を、該逆転オーガから正転オーガを介して、ブロアに円滑に送る、つまり円滑な雪運びをすることができる。よって、除雪作業の効率を一層高めることができる。
【図面の簡単な説明】
【００１３】
【図１】本発明に係るオーガ式除雪機の側面図である。
【図２】図１に示されるオーガ駆動系をオーガ式除雪機の正面から見た模式図である。
【図３】図１に示されるオーガハウジング及びオーガの平面図である。
【図４】図３に示されるオーガを展開して模式的に示した説明図である。
【発明を実施するための形態】
【００１４】
本発明を実施するための形態を添付図に基づいて以下に説明する。なお、「前」、「後」、「左」、「右」、「上」、「下」は作業者から見た方向に従い、Ｆｒは前側、Ｒｒは後側、Ｌｅは左側、Ｒｉは右側を示す。
【実施例】
【００１５】
実施例に係るオーガ式除雪機について説明する。図１に示されるように、オーガ式除雪機１０は、機体１１（車体フレーム１１）に走行装置１２と除雪作業部１３と動力源１４とを備えた自走式除雪機である。機体１１の後部から後方上部へ操作ハンドル１５が延びている。作業者は、オーガ式除雪機１０（以下、単に「除雪機１０」という。）に連れて歩行しながら、操作ハンドル１５によって該除雪機１０を操作することができる。
【００１６】
該除雪作業部１３は、オーガハウジング２１、該オーガハウジング２１の後部に且つ幅方向中央に設けられたブロアハウジング２２、該オーガハウジング２１内に設けられたオーガ２３、該ブロアハウジング２２内に設けられたブロア２４、及び該ブロアハウジング２２から上方へ延びたシュータ２５からなる。
【００１７】
該動力源１４は、走行装置１２と除雪作業部１３を駆動するものであり、例えばエンジンによって構成される。該動力源１４の動力は、駆動プーリ３１と伝動ベルト３２と従動プーリ３３と伝動軸３４の経路によって、ブロア２４に伝わるとともに、該伝動軸３４からトランスミッション３５を介してオーガ２３に伝わる。オーガ２３によって掻き集めた雪を、ブロア２４によってシュータ２５を介して遠くへ飛ばすことができる。なお、走行装置１２は、電動モータによって駆動される構成であってもよい。
【００１８】
以下、該除雪作業部１３について詳しく説明する。ブロアハウジング２２は正面視真円の円筒状であって、機体１１に取り付けられている。ブロア２４は前記伝動軸３４に取り付けられている。該伝動軸３４の先端部には、トランスミッション３５の入力軸６１が連結されている。該トランスミッション３５は、オーガハウジング２１内に位置している。
【００１９】
図２及び図３に示されるように、オーガ２３は、除雪機１０（図１参照）による除雪時に、上から前下方（矢印Ｒａ方向）へ向かって回転する左右の正転オーガ４１Ｌ，４１Ｒと、該左右の正転オーガ４１Ｌ，４１Ｒに対し逆方向（矢印Ｒｂ方向）へ回転する左右の逆転オーガ４２Ｌ，４２Ｒとからなる。
【００２０】
左右の正転オーガ４１Ｌ，４１Ｒと左右の逆転オーガ４２Ｌ，４２Ｒとのいずれか一方は、オーガハウジング２１の幅方向の内側に位置するとともに、いずれか他方は外側に位置している。例えば、該左右の正転オーガ４１Ｌ，４１Ｒは、オーガハウジング２１の幅方向中央寄りに位置しており、幅中心ＣＬに位置したトランスミッション３５を挟んで、互いに近接している。該左右の逆転オーガ４２Ｌ，４２Ｒは、オーガハウジング２１の幅方向両側に位置している。つまり、該左右の逆転オーガ４２Ｌ，４２Ｒは、該左右の正転オーガ４１Ｌ，４１Ｒよりもオーガハウジング２１の幅方向外側に位置している。左の正転オーガ４１Ｌと左の逆転オーガ４２Ｌとは、軸長手方向に近接している。右の正転オーガ４１Ｒと右の逆転オーガ４２Ｒとは、軸長手方向に近接している。
【００２１】
以下、オーガ２３の回転方向については、除雪機１０による除雪時に、上から前下方、つまり矢印Ｒａ方向へ向かって（図１の反時計回りに）回転することを「正転」という。また、該左右の正転オーガ４１Ｌ，４１Ｒに対して逆方向、つまり矢印Ｒｂ方向（図１の時計回りの方向）へ回転することを「逆転」という。
【００２２】
該左右の正転オーガ４１Ｌ，４１Ｒは、左右の正転軸４３，４３に設けられている。詳しく述べると、該左右の正転オーガ４１Ｌ，４１Ｒは、それぞれ２つのオーガ部材の組み合わせによって構成されている。つまり、該左の正転オーガ４１Ｌは、第１左正転オーガ部材５１と第２左正転オーガ部材５２とからなる。該右の正転オーガ４１Ｒは、第１右正転オーガ部材５３と第２右正転オーガ部材５４とからなる。各正転オーガ部材５１〜５４は、所定幅の帯板によってスパイラル状（螺旋状）に構成されている。該各正転オーガ部材５１〜５４のスパイラル方向は、該各正転オーガ部材５１〜５４が正転することにより、破砕した雪をオーガハウジング２１の幅方向中央に寄せ集める方向である。
【００２３】
該左右の逆転オーガ４２Ｌ，４２Ｒは、左右の逆転軸４４，４４に設けられている。詳しく述べると、該左右の逆転オーガ４２Ｌ，４２Ｒは、それぞれ２つのオーガ部材の組み合わせによって構成されている。つまり、該左の逆転オーガ４２Ｌは、第１左逆転オーガ部材５５と第２左逆転オーガ部材５６とからなる。該右の逆転オーガ４２Ｒは、第１右逆転オーガ部材５７と第２右逆転オーガ部材５８とからなる。各逆転オーガ部材５５〜５８は、所定幅の帯板によってスパイラル状（螺旋状）に構成されている。該各逆転オーガ部材５５〜５８のスパイラル方向は、該各逆転オーガ部材５５〜５８が逆転することにより、破砕した雪をオーガハウジング２１の幅方向中央に寄せ集める方向である。
【００２４】
該左右の正転軸４３，４３と該左右の逆転軸４４，４４とは、同軸上（図３に示される軸線Ｘｓ上）に配置されてオーガハウジング２１内の幅方向に１列に並んでいる。つまり、該左右の正転オーガ４１Ｌ，４１Ｒと該左右の逆転オーガ４２Ｌ，４２Ｒとは、同軸上（図３に示される軸線Ｘｓ上）に配置され、且つ機体１１（図１参照）の前部に位置している。
【００２５】
図２に示されるように、該左右の逆転軸４４，４４は、トランスミッション３５の逆転用駆動軸６２に相対回転可能に嵌合した、パイプ軸によって構成される。該逆転用駆動軸６２は、オーガハウジング２１の幅方向に延びており、入力軸６１に駆動力を入力することによって、逆転可能である。該逆転用駆動軸６２の軸長手方向の両端部には、左右の逆転用回転軸６３，６３が連結されている。該左右の逆転用回転軸６３，６３には、左右の逆転用シャーボルト６４，６４によって、左右の逆転軸４４，４４が連結されている。
【００２６】
さらに、トランスミッション３５は、左右の正転用駆動軸６５，６５を有する。該左右の正転用駆動軸６５，６５は、逆転用駆動軸６２に相対回転可能に嵌合したパイプ軸によって構成されており、入力軸６１に駆動力を入力することによって、正転可能である。該左右の正転用駆動軸６５，６５には、左右の正転用回転軸６６，６６が連結されている。該左右の正転軸４３，４３は、該左右の正転用駆動軸６５，６５に相対回転可能に嵌合した、パイプ軸によって構成される。該左右の正転用回転軸６６，６６には、左右の正転用シャーボルト６７，６７によって、左右の正転軸４３，４３が連結されている。
【００２７】
図３に示されるように、該左右の正転オーガ４１Ｌ，４１Ｒと該左右の逆転オーガ４２Ｌ，４２Ｒの外径は、全て同一である。該左右の正転オーガ４１Ｌ，４１Ｒと該左右の逆転オーガ４２Ｌ，４２Ｒの、軸方向の幅（オーガハウジング２１の幅方向の幅）は、全て同一である。該左右の正転オーガ４１Ｌ，４１Ｒと該左右の逆転オーガ４２Ｌ，４２Ｒの回転速度、つまり全てのオーガ４１Ｌ，４１Ｒ，４２Ｌ，４２Ｒの回転速度は、全て一致している。
【００２８】
左右の逆転オーガ４２Ｌ，４２Ｒによって破砕された雪は、左右の正転オーガ４１Ｌ，４１Ｒに向かって寄せ集められる。該集められた雪と、左右の正転オーガ４１Ｌ，４１Ｒによって破砕された雪とは、該左右の正転オーガ４１Ｌ，４１Ｒによってオーガハウジング２１の幅方向中央に寄せ集められ、且つ後方のブロアハウジング２２に送られる。該ブロアハウジング２２に送られた雪は、図１に示されるブロア２４によってシュータ２５を介して遠くへ飛ばされる。
【００２９】
以下、該オーガ２３について、図３及び図４に基づき詳しく説明する。図３は、オーガハウジング２１及びオーガ２３を上から見た構成を示している。図３によれば、該各オーガ部材５１〜５８同士の位相関係が判る。
【００３０】
図４は、図３に示された該オーガ２３を展開して模式的に示している。図４の横軸には、該左右の正転オーガ４１Ｌ，４１Ｒと該左右の逆転オーガ４２Ｌ，４２Ｒとが、図３に合わせて横一列に配列されている。図４の縦軸には、該左右の正転オーガ４１Ｌ，４１Ｒと該左右の逆転オーガ４２Ｌ，４２Ｒとが、基準点０°から周方向に３６０°展開した構成を示している。なお、該基準点０°は、説明する上で決めた展開方向の任意の点である。
【００３１】
但し、図４では、説明の理解を容易にするために、該左右の正転オーガ４１Ｌ，４１Ｒに対して、該左右の逆転オーガ４２Ｌ，４２Ｒのスパイラル方向及び回転方向を、図３とは逆に示している。つまり図４では、該左右の逆転オーガ４２Ｌ，４２Ｒの展開方向と回転方向Ｒｂを、該左右の正転オーガ４１Ｌ，４１Ｒの展開方向と回転方向Ｒａに合わせて、表している。
【００３２】
図４に示されるように、該各正転オーガ部材５１〜５４と該各逆転オーガ部材５５〜５８の、展開角度（回転方向の角度）は２２５°である。図３及び図４に示されるように、該各オーガ部材５１〜５８の位相関係は次の通りである。
【００３３】
展開方向の基準点０°（位相０°）には、第１右正転オーガ部材５３の回転方向Ｒａの先端５３ａと、第１左逆転オーガ部材５５の回転方向Ｒｂの先端５５ａとが位置している。このように、該先端５３ａと該先端５５ａとは、互いに逆方向へ回転するときに、最下端の位置（例えば除雪する積雪面）に略同時に位置する位相に、設定されている。
【００３４】
展開方向の角度９０°（位相９０°）には、第１左正転オーガ部材５１の回転方向Ｒａの先端５１ａと、第１右逆転オーガ部材５７の回転方向Ｒｂの先端５７ａとが位置している。このように、該先端５１ａと該先端５７ａとは、互いに逆方向へ回転するときに、最下端の位置（例えば除雪する積雪面）に略同時に位置する位相に、設定されている。
【００３５】
展開方向の角度１８０°（位相１８０°）には、第２右正転オーガ部材５４の回転方向Ｒａの先端５４ａと、第２左逆転オーガ部材５６の回転方向Ｒｂの先端５６ａとが位置している。このように、該先端５４ａと該先端５６ａとは、互いに逆方向へ回転するときに、最下端の位置（例えば除雪する雪面）に略同時に位置する位相に、設定されている。
【００３６】
展開方向の角度２７０°（位相２７０°）には、第２左正転オーガ部材５２の回転方向Ｒａの先端５２ａと、第２右逆転オーガ部材５８の回転方向Ｒｂの先端５８ａとが位置している。このように、該先端５２ａと該先端５８ａとは、互いに逆方向へ回転するときに、最下端の位置（例えば除雪する雪面）に略同時に位置する位相に、設定されている。
【００３７】
つまり、第１左正転オーガ部材５１の先端５１ａの位相９０°に対して、第２左正転オーガ部材５２の先端５２ａの位相は２７０°であり、回転方向Ｒａに位相が１８０°ずれている。
第１右正転オーガ部材５３の先端５３ａの位相０°に対して、第２右正転オーガ部材５４の先端５４ａの位相は１８０°であり、回転方向Ｒａに位相が１８０°ずれている。
左の正転オーガ４１Ｌの回転方向Ｒａの先端５１ａ，５２ａに対して、右の正転オーガ４１Ｒの回転方向Ｒａの先端５３ａ，５４ａの位相は、９０°（略９０°を含む）ずれている。
【００３８】
第１左逆転オーガ部材５５の先端５５ａの位相０°に対して、第２左逆転オーガ部材５６の先端５６ａの位相は１８０°であり、回転方向Ｒｂに位相が１８０°ずれている。
第１右逆転オーガ部材５７の先端５７ａの位相９０°に対して、第２右逆転オーガ部材５８の先端５８ａの位相は２７０°であり、回転方向Ｒｂに位相が１８０°ずれている。
左の逆転オーガ４２Ｌの回転方向Ｒｂの先端５５ａ，５６ａに対して、右の逆転オーガ４２Ｒの回転方向Ｒｂの先端５７ａ，５８ａの位相は、９０°（略９０°を含む）ずれている。
【００３９】
このように、左の正転オーガ４１Ｌの回転方向Ｒａの先端５１ａ，５２ａと、右の逆転オーガ４２Ｒの回転方向Ｒｂの先端５７ａ，５８ａとは、回転時に、最下端の位置（例えば除雪する雪面）に略同時に位置する位相に設定されている。
【００４０】
右の正転オーガ４１Ｒの回転方向Ｒａの先端５３ａ，５４ａと、左の逆転オーガ４２Ｌの回転方向Ｒｂの先端５５ａ，５６ａとは、回転時に、最下端の位置（例えば除雪する雪面）に略同時に位置する位相に設定されている。
【００４１】
以上の説明をまとめると、次の通りである。除雪機１０の除雪時に、上から前の下方へ向かって回転する左右の正転オーガ４１Ｌ，４１Ｒと、該左右の正転オーガ４１Ｌ，４１Ｒに対し逆方向へ回転する左右の逆転オーガ４２Ｌ，４２Ｒとが、同軸上に配置されてオーガハウジング２１内の幅方向に並び、且つ機体１１の前部に位置している。
【００４２】
全てのオーガ４１Ｌ，４１Ｒ，４２Ｌ，４２Ｒの回転速度は一致している。左右の正転オーガ４１Ｌ，４１Ｒと左右の逆転オーガ４２Ｌ，４２Ｒとのいずれか一方が、オーガハウジング２１の幅方向の内側に位置するとともに、いずれか他方が外側に位置している。左の正転オーガ４１Ｌの回転方向Ｒａの先端５１ａ，５２ａと、右の逆転オーガ４２Ｒの回転方向Ｒｂの先端５７ａ，５８ａとは、回転時に、最下端の位置に略同時に位置する位相に設定されている。このため、左の正転オーガ４１Ｌの回転方向Ｒａの先端５１ａ，５２ａと、右の逆転オーガ４２Ｒの回転方向Ｒｂの先端５７ａ，５８ａとは、積雪面に対して基本的に同時に当たる。従って、除雪時に左の正転オーガ４１Ｌに発生する反力を、右の逆転オーガ４２Ｒに発生する反力によって相殺することができる。
【００４３】
また、右の正転オーガ４１Ｒの回転方向Ｒａの先端５３ａ，５４ａと、左の逆転オーガ４２Ｌの回転方向Ｒｂの先端５５ａ，５６ａとは、回転時に、最下端の位置に略同時に位置する位相に設定されている。このため、右の正転オーガ４１Ｒの回転方向Ｒａの先端５３ａ，５４ａと、左の逆転オーガ４２Ｌの回転方向Ｒｂの先端５５ａ，５６ａとは、積雪面に対して基本的に同時に当たる。従って、除雪時に右の正転オーガ４１Ｒに発生する反力を、左の逆転オーガ４２Ｌに発生する反力によって相殺することができる。
【００４４】
このように、左の正転オーガ４１Ｌの先端５１ａ，５２ａに対して右の逆転オーガ４２Ｒの先端５７ａ，５８ａの位相を合わせるとともに、右の正転オーガ４１Ｒの先端５３ａ．５４ａに対して左の逆転オーガ４２Ｌの先端５５ａ，５６ａの位相を合わせている。このため、除雪機１０による除雪時に各オーガ４１Ｌ，４１Ｒ，４２Ｌ，４２Ｒに発生する個別の反力によって、オーガハウジング２１や機体１１が上下左右に頻繁に傾く、いわゆる暴れ現象を抑制することができる。しかも、左右の正転オーガ４１Ｌ，４１Ｒの浮き上がり現象を、左右の逆転オーガ４２Ｌ，４２Ｒによって抑制することできる。この結果、除雪機１０の走行安定性を高めるとともに、除雪作業の効率を高めることができる。
【００４５】
さらには、オーガハウジング２１の後部に且つ幅方向中央にブロアハウジング２２が設けられ、該ブロアハウジング２２内にブロア２４が設けられている。左の正転オーガ４１Ｌの回転方向Ｒａの先端５１ａ，５２ａに対して、右の正転オーガ４１Ｒの回転方向Ｒａの先端５３ａ，５４ａの位相が、９０°（略９０°を含む）ずれている。当然、左の逆転オーガ４２Ｌの回転方向Ｒｂの先端５５ａ，５６ａに対して、右の逆転オーガ４２Ｒの回転方向Ｒｂの先端５７ａ，５８ａの位相が、９０°（略９０°を含む）ずれる。
【００４６】
このため、左の正転オーガ４１Ｌからオーガハウジング２１の幅方向中央へ送られた雪と、右の正転オーガ４１Ｒからオーガハウジング２１の幅方向中央へ送られた雪とが、ブロアハウジング２２の入口２２ａに同時に集中しないように抑制することができる。従って、左右の正転オーガ４１Ｌ，４１Ｒから送られた雪を、ブロアハウジング２２の入口２２ａへ効率よく押し込んで、効率よく除雪することができる。しかも、逆転オーガ４２Ｌ，４２Ｒによって破砕された雪を、該逆転オーガ４２Ｌ，４２Ｒから正転オーガ４１Ｌ，４１Ｒを介して、ブロア２４に円滑に送る、つまり円滑な雪運びをすることができる。よって、除雪作業の効率を一層高めることができる。
【産業上の利用可能性】
【００４７】
本発明のオーガ式除雪機１０は、少なくともオーガ２３をエンジン１４によって駆動する除雪機に好適である。
【符号の説明】
【００４８】
１０    オーガ式除雪機
１１    機体
２１    オーガハウジング
２２    ブロアハウジング
２３    オーガ
２４    ブロア
４１Ｌ  左の正転オーガ
４１Ｒ  右の正転オーガ
４２Ｌ  左の逆転オーガ
４２Ｒ  右の逆転オーガ
５１    第１左正転オーガ部材
５１ａ  左の正転オーガの回転方向の先端
５２    第２左正転オーガ部材
５２ａ  左の正転オーガの回転方向の先端
５３    第１右正転オーガ部材
５３ａ  右の正転オーガの回転方向の先端
５４    第２右正転オーガ部材
５４ａ  右の正転オーガの回転方向の先端
５５    第１左逆転オーガ部材
５５ａ  右の逆転オーガの回転方向の先端
５６    第２左逆転オーガ部材
５６ａ  右の逆転オーガの回転方向の先端
５７    第１右逆転オーガ部材
５７ａ  左の逆転オーガの回転方向の先端
５８    第２右逆転オーガ部材
５８ａ  左の逆転オーガの回転方向の先端
【図１】
2015031069.tif 000003
【図２】
2015031069.tif 000004
【図３】
2015031069.tif 000005
【図４】
2015031069.tif 000006